(57)【要約】【課題】信号ケーブルの先端から引き出された信号線を、良好な作業性の下に回路基板の接続端子部に対して断線やリーク等がないように無理なく接続することができる電子内視鏡の先端部を提供すること。【解決手段】挿入部１の先端部分２に内蔵された固体撮像素子５の後側に隣接して回路基板６が配置され、挿入部１内に挿通配置された信号ケーブル１０から引き出された複数の信号線１１（１１ａ，１１ｂ）が、回路基板６に設けられた接続端子部１３に接続された電子内視鏡の先端部において、回路基板６の後端部分を、軸線１３ｘが挿入部１の先端部分２の軸線と平行な向きの円柱状又は円筒状に形成して、その外周面部分を接続端子部１３にした。【選択図】      図１
2006068260.tif 000002
【特許請求の範囲】
【請求項１】
挿入部の先端部分に内蔵された固体撮像素子の後側に隣接して回路基板が配置され、上記挿入部内に挿通配置された信号ケーブルから引き出された複数の信号線が、上記回路基板に設けられた接続端子部に接続された電子内視鏡の先端部において、
上記回路基板の後端部分を、軸線が上記挿入部の先端部分の軸線と平行な向きの円柱状又は円筒状に形成して、その外周面部分を上記接続端子部にしたことを特徴とする電子内視鏡の先端部。
【請求項２】
上記信号ケーブルの先端部分が、上記接続端子部の軸線の延長線上に軸線が位置する状態に配置されている請求項１記載の電子内視鏡の先端部。
【請求項３】
上記接続端子部は、上記複数の信号線のうちの上記信号ケーブルの外周の内側に沿って配置されている信号線が上記信号ケーブルから各々真っ直ぐに引き出された状態で接続される径に形成されている請求項２記載の電子内視鏡の先端部。
【発明の詳細な説明】
【技術分野】
【０００１】
この発明は電子内視鏡の先端部に関する。
【背景技術】
【０００２】
挿入部の先端部分に固体撮像素子を内蔵する電子内視鏡においては、固体撮像素子の駆動回路等を構成する電子部品が取り付けられた回路基板が固体撮像素子の後側に隣接して配置され、挿入部内に挿通配置された信号ケーブルの先端から引き出された複数の信号線が、回路基板に設けられた接続端子部に接続されている（例えば、特許文献１、２）。
【特許文献１】特開２０００−１９９８６３
【特許文献２】特開平９−６４２７３
【発明の開示】
【発明が解決しようとする課題】
【０００３】
上述のような従来の電子内視鏡においては、平板状に形成された回路基板の表面と裏面の二つの面に接続端子部が各々平面状に形成されて、信号ケーブルの先端から引き出された複数の信号線が接続端子部に各々半田付け等により接続固着されている。
【０００４】
しかし、そのような構成の電子内視鏡の先端部においては、複数の信号線の一部が信号ケーブルの先端から大きく曲げられて接続端子部に接続されることになるので接続作業性が悪く、断線や隣あう接続部どうしのリーク等が発生する原因になる場合があった。
【０００５】
そこで本発明は、信号ケーブルの先端から引き出された信号線を、良好な作業性の下に回路基板の接続端子部に対して断線やリーク等がないように無理なく接続することができる電子内視鏡の先端部を提供することを目的とする。
【課題を解決するための手段】
【０００６】
上記の目的を達成するため、本発明の電子内視鏡の先端部は、挿入部の先端部分に内蔵された固体撮像素子の後側に隣接して回路基板が配置され、挿入部内に挿通配置された信号ケーブルから引き出された複数の信号線が、回路基板に設けられた接続端子部に接続された電子内視鏡の先端部において、回路基板の後端部分を、軸線が挿入部の先端部分の軸線と平行な向きの円柱状又は円筒状に形成して、その外周面部分を接続端子部にしたものである。
【０００７】
なお、信号ケーブルの先端部分が、接続端子部の軸線の延長線上に軸線が位置する状態に配置されているとよく、接続端子部が、複数の信号線のうちの信号ケーブルの外周の内側に沿って配置されている信号線が信号ケーブルから各々真っ直ぐに引き出された状態で接続される径に形成されていてもよい。
【発明の効果】
【０００８】
本発明によれば、回路基板の後端部分を、軸線が挿入部の先端部分の軸線と平行な向きの円柱状又は円筒状に形成してその外周面部分を接続端子部にしたことにより、信号ケーブルの先端から引き出された各信号線を、相互にバラツキの少ない一様な曲がり角度で良好な作業性の下に回路基板の接続端子部に対して断線やリーク等がないように無理なく接続することができる。
【発明を実施するための最良の形態】
【０００９】
挿入部の先端部分に内蔵された固体撮像素子の後側に隣接して回路基板が配置され、挿入部内に挿通配置された信号ケーブルから引き出された複数の信号線が、回路基板に設けられた接続端子部に接続された電子内視鏡の先端部において、回路基板の後端部分を、軸線が挿入部の先端部分の軸線と平行な向きの円柱状又は円筒状に形成して、その外周面部分を接続端子部にする。
【実施例】
【００１０】
図面を参照して本発明の実施例を説明する。
図２は電子内視鏡の挿入部１の先端部分を示しており、挿入部１の先端に連結された先端部本体２の先端面に観察窓３や図示されていない照明窓等が配置されている。
【００１１】
先端部本体２内には、観察窓３の奥に対物光学系４が配置されている。そして、対物光学系４による被写体の投影位置に、固体撮像素子５の撮像面５ａが配置されていて、固体撮像素子５により内視鏡観察像が光電変換される。
【００１２】
固体撮像素子５の背面壁には、例えばセラミックスブロック体等からなる回路基板６が接合固着されていて、固体撮像素子５の駆動回路等を構成する例えばコンデンサやトランジスタ等の電子部品７が、回路基板６の中間部分に形成された凹部内に取り付けられている。
【００１３】
挿入部１内には、固体撮像素子５で撮像された内視鏡観察像の撮像信号等を伝送するための信号ケーブル１０が全長にわたって挿通配置されていて、信号ケーブル１０の先端から前方に延出する複数の信号線１１の先端が、回路基板６の後端部分に形成された接続端子部１３に半田付け等によって各々接続固着されている。
【００１４】
また、図１にも示されるように、固体撮像素子５の上辺部と下辺部からは複数のインナーリード８が並列に並んで後方に延出していて、各インナーリード８の延出端が、回路基板６の後端より少し前方位置の表面に形成されたリード接続端子１２に半田付け等により接続固着されている。９は、複数並んで配置されているインナーリード８に沿って取り付けられた電気絶縁性の補強板である。
【００１５】
そして、そのようなリード接続端子１２に対するインナーリード８の接続部と、インナーリード８そのものと、電子部品７が配置されている凹部とが図２に示されるように、封止樹脂１５によって封止されている。なお、図１においては封止樹脂１５の図示が省略されている。
【００１６】
回路基板６の後端部分は、軸線が先端部本体２の軸線と平行な向きの円柱状又は円筒状に形成されている。そして、その外周面部分が接続端子部１３になっていて、図１に示されるように、接続端子部１３の表面には、信号線１１の数に対応して多数の接続端子片１３ａが並列に各々接続端子部１３の軸線１３ｘと平行方向に配置されている。
【００１７】
信号ケーブル１０内には、その外周の内側に沿って配置されている複数の外周側信号線１１ａと、その複数の外周側信号線１１ａに囲まれる状態に軸線１０ｘ寄りの位置に配置されている複数の内側信号線１１ｂとが挿通されている。
【００１８】
そのような信号ケーブル１０の先端部分は、軸線１０ｘが接続端子部１３の軸線１３ｘの延長線上に位置するように配置されることにより、接続端子部１３に対して各外周側信号線１１ａが相互にバラツキの少ない一様な曲がり角度で接続され、各内側信号線１１ｂも相互にバラツキの少ない一様な曲がり角度で接続される。
【００１９】
その結果、各信号線１１が信号ケーブル１０の先端から大きく曲げられることなく接続端子部１３に接続されることになるので接続作業性がよく、断線や隣あう接続部どうしのリーク等が発生することなく接続することができる。
【００２０】
なお、接続端子部１３の径を、複数の外周側信号線１１ａが信号ケーブル１０から各々真っ直ぐに引き出された状態で接続される大きさに形成すれば、数の多い外周側信号線１１ａを全く曲げずに接続端子部１３に接続することができるので、より大きな効果を得ることができる。
【図面の簡単な説明】
【００２１】
【図１】本発明の実施例の電子内視鏡の回路基板に対する信号ケーブル接続部分の接続前の状態の斜視図である。
【図２】本発明の実施例の電子内視鏡の挿入部の先端部分の側面断面図である。
【符号の説明】
【００２２】
１  挿入部
２  先端部本体（挿入部の先端部分）
５  固体撮像素子
６  回路基板
１０  信号ケーブル
１０ｘ  軸線
１１  信号線
１１ａ  外周側信号線
１１ｂ  内側信号線
１３  接続端子部
１３ａ  接続端子片
１３ｘ  軸線
【図１】
2006068260.tif 000003
【図２】
2006068260.tif 000004